(57)【特許請求の範囲】
【請求項１】
ジャケットやベストなどの上衣とパンツやスカートなどの下衣とを腰部で着脱自在に連結する構成としたツーピースとしてもワンピースとしても使用可能となる衣服であって、前記下衣のウエスト位置にウエスト調整用帯片を設けると共に、この帯片を挿通する帯片係止具を設け、前記帯片を前記帯片係止具に挿通して締め付け係止しウエスト位置の緩み度を締め付け調整するウエスト調整機構を下衣に設け、このウエスト調整機構の前記帯片を前記上衣のウエスト位置に設けた帯片挿通孔に裏側から表側へ挿通して上衣のウエスト位置表側に配設し、この上衣に設けた帯片係止具、若しくは前記下衣に設けた帯片係止具を上衣のウエスト位置に設けた係止具挿通孔に裏側から表側へ挿通して上衣のウエスト位置表側に配設したこの帯片係止具に、前記帯片を挿通して係止し、前記上衣と前記下衣とを腰部で前記下衣のウエスト調整機構を用いて着脱自在に連結したことを特徴とするツーピースとしてもワンピースとしても使用可能となる衣服。
【請求項２】
前記ウエスト調整用帯片を前記帯片係止具に挿通し折り返し引き締めて、この帯片に設けた止着手段によりこの折り返し引き締め状態を重合止着して、ウエスト位置の緩み度を締め付け調整し得るように構成すると共に、この帯片がウエスト周方向に配設されるように前記ウエスト調整機構を構成し、このウエスト調整機構の前記帯片を前記上衣のウエスト位置に設けた帯片挿通孔に裏側から表側へ挿通して上衣のウエスト位置表側に配設し、この上衣に設けた帯片係止具、若しくは前記下衣に設けた帯片係止具を上衣のウエスト位置に設けた係止具挿通孔に裏側から表側へ挿通して上衣のウエスト位置表側に配設したこの帯片係止具に、前記帯片を挿通して折り返し、この帯片に設けた前記止着手段によりこの折り返し状態を重合止着して、前記帯片が上衣のウエスト周方向に配設されるように構成したことを特徴とする請求項１記載のツーピースとしてもワンピースとしても使用可能となる衣服。
【請求項３】
前記下衣のウエスト位置に設けた帯片係止具には二つの挿通部を設け、この帯片係止具を境にしてウエスト周方向両側に夫々前記帯片を設け、この一方の帯片を前記帯片係止具の一方の挿通部に挿通し折り返し引き締めて、この帯片に設けた止着手段によりこの折り返し引き締め状態を重合止着し、他方の帯片を前記帯片係止具の他方の挿通部に挿通し反対側へ折り返し引き締めて、この帯片に設けた止着手段によりこの折り返し引き締め状態を重合止着して、ウエスト位置の緩み度を締め付け調整し得るように構成すると共に、この双方の帯片がウエスト周方向に配設されるように前記ウエスト調整機構を構成し、このウエスト調整機構の前記双方の帯片を前記上衣のウエスト位置に夫々設けた帯片挿通孔に裏側から表側へ挿通して上衣のウエスト位置表側に配設し、この上衣に設けた二つの挿通部を設けた帯片係止具の各挿通部に、若しくは前記下衣に設けた帯片係止具を上衣のウエスト位置に設けた係止具挿通孔に裏側から表側へ挿通して上衣のウエスト位置表側に配設したこの帯片係止具の各挿通部に、前記帯片を夫々挿通して夫々反対側に折り返して重合止着して、前記双方の帯片が上衣のウエスト周方向に配設されるように構成したことを特徴とする請求項２記載のツーピースとしてもワンピースとしても使用可能となる衣服。
【請求項４】
前記ウエスト調整機構を下衣のウエスト左右位置に夫々設け、このウエスト調整機構の前記帯片と前記帯片係止具とに対応する前記帯片挿通孔又は前記帯片挿通孔及び前記係止具挿通孔を上衣のウエスト左右位置に夫々設けて、前記上衣と前記下衣とを腰部左右に設けた前記下衣のウエスト調整機構の前記帯片と帯片係止具とで着脱自在に連結したことを特徴とする請求項１〜３のいずれか１項に記載のツーピースとしてもワンピースとしても使用可能となる衣服。
【発明の詳細な説明】
【０００１】
【発明の属する技術分野】
本発明は、ツーピースとしてもワンピースとしても使用可能となる衣服に関するもので、例えばスキージャケットとスキーパンツ（サロペットパンツやオーバズボン等）とを腰部で連結することでワンピースタイプとして使用可能となる上衣と下衣とからなる衣服に関するものである。
【０００２】
【従来の技術及び発明が解決しようとする課題】
上衣と下衣とをセパレートし、ツーピースウェアとした場合には上衣のみを脱いだりすることができ、また動き易いなどの利点があり、一方上衣と下衣とを連設して一体化したワンピースウェアの場合は、逆に一挙に脱いだり着たりでき、また動き難いとも言えるがスポーツ時においては上下が一体となっているため着崩れやアンダーシャツが飛び出るなどの心配がないために動き易く、スポーツウェアとして適する場合も多く、様々な利点がある。
【０００３】
そのため、上衣と下衣とを着脱自在に連結し、ツーピースとしてもワンピースとしても使用可能となる衣服が提案されている。
【０００４】
しかし、単にボタンやフックや面ファスナーによって上衣と下衣とを止着係止する構成としたので、例えばスキーウェアなどに適用する場合などは、激しい運動時にこの連結部分が外れ易く、スポーツウェアとしては実用性に劣る。
【０００５】
また、連結強度を高めるためファスナーにより連結した場合は、コスト高となる上、着脱も容易ではなく、また、腰部に伸縮部を設けてウエスト調整可能に形成した場合には、伸縮によるウエスト調整機能（シャーリング効果）を失ってしまう場合もある。
【０００６】
本発明は、ウエストの緩み度合いを締め付け調整する下衣のウエストアジャスタ（下衣のウエスト調整機構）を利用して簡単に上衣と下衣とを着脱自在に連結できる構成とし、連結せずツーピースウェアとする場合は、そのまま通常仕様通りウエスト調整機構として使用でき、連結してワンピースウェアとする場合は、この下衣のウエスト調整機構を用いて、ウエスト調整を行うことも可能ながらこの下衣と上衣とをウエスト調整と同様の要領で連結することができ、この上下連結構成が邪魔となることもなく、連結した場合もしない場合も体裁が悪くなり衣服のデザインを損なうこともなく、しかもコスト高とはならず、また例えば下衣と上衣とのデザイン違いやサイズ違いのものの場合でも（一対一対応に限られず）連結可能となるように設計できるなど極めて実用性に秀れた画期的なツーピースとしてもワンピースとしても使用可能となる衣服を提供することを目的としている。
【０００７】
【課題を解決するための手段】
添付図面を参照して本発明の要旨を説明する。
【０００８】
ジャケットやベストなどの上衣１とパンツやスカートなどの下衣２とを腰部で着脱自在に連結する構成としたツーピースとしてもワンピースとしても使用可能となる衣服であって、前記下衣２のウエスト位置にウエスト調整用帯片３を設けると共に、この帯片３を挿通する帯片係止具４を設け、前記帯片３を前記帯片係止具４に挿通して締め付け係止しウエスト位置の緩み度を締め付け調整するウエスト調整機構Ｗを下衣２に設け、このウエスト調整機構Ｗの前記帯片３を前記上衣１のウエスト位置に設けた帯片挿通孔５に裏側から表側へ挿通して上衣１のウエスト位置表側に配設し、この上衣１に設けた帯片係止具４、若しくは前記下衣２に設けた帯片係止具４を上衣１のウエスト位置に設けた係止具挿通孔に裏側から表側へ挿通して上衣１のウエスト位置表側に配設したこの帯片係止具４に、前記帯片３を挿通して係止し、前記上衣１と前記下衣２とを腰部で前記下衣のウエスト調整機構Ｗを用いて着脱自在に連結したことを特徴とするツーピースとしてもワンピースとしても使用可能となる衣服に係るものである。
【０００９】
また、前記ウエスト調整用帯片３を前記帯片係止具４に挿通し折り返し引き締めて、この帯片３に設けた止着手段６によりこの折り返し引き締め状態を重合止着して、ウエスト位置の緩み度を締め付け調整し得るように構成すると共に、この帯片３がウエスト周方向に配設されるように前記ウエスト調整機構Ｗを構成し、このウエスト調整機構Ｗの前記帯片３を前記上衣１のウエスト位置に設けた帯片挿通孔５に裏側から表側へ挿通して上衣１のウエスト位置表側に配設し、この上衣１に設けた帯片係止具４、若しくは前記下衣２に設けた帯片係止具４を上衣１のウエスト位置に設けた係止具挿通孔に裏側から表側へ挿通して上衣１のウエスト位置表側に配設したこの帯片係止具４に、前記帯片３を挿通して折り返し、この帯片３に設けた前記止着手段６によりこの折り返し状態を重合止着して、前記帯片３が上衣１のウエスト周方向に配設されるように構成したことを特徴とする請求項１記載のツーピースとしてもワンピースとしても使用可能となる衣服に係るものである。
【００１０】
また、前記下衣２のウエスト位置に設けた帯片係止具４には二つの挿通部４Ａを設け、この帯片係止具４を境にしてウエスト周方向両側に夫々前記帯片３を設け、この一方の帯片３を前記帯片係止具４の一方の挿通部４Ａに挿通し折り返し引き締めて、この帯片３に設けた止着手段６によりこの折り返し引き締め状態を重合止着し、他方の帯片３を前記帯片係止具４の他方の挿通部４Ａに挿通し反対側へ折り返し引き締めて、この帯片３に設けた止着手段６によりこの折り返し引き締め状態を重合止着して、ウエスト位置の緩み度を締め付け調整し得るように構成すると共に、この双方の帯片３がウエスト周方向に配設されるように前記ウエスト調整機構Ｗを構成し、このウエスト調整機構Ｗの前記双方の帯片３を前記上衣１のウエスト位置に夫々設けた帯片挿通孔５に裏側から表側へ挿通して上衣１のウエスト位置表側に配設し、この上衣１に設けた二つの挿通部４Ａを設けた帯片係止具４の各挿通部に、若しくは前記下衣２に設けた帯片係止具４を上衣１のウエスト位置に設けた係止具挿通孔に裏側から表側へ挿通して上衣１のウエスト位置表側に配設したこの帯片係止具４の各挿通部４Ａに、前記帯片３を夫々挿通して夫々反対側に折り返して重合止着して、前記双方の帯片３が上衣１のウエスト周方向に配設されるように構成したことを特徴とする請求項２記載のツーピースとしてもワンピースとしても使用可能となる衣服に係るものである。
【００１１】
また、前記ウエスト調整機構Ｗを下衣２のウエスト左右位置に夫々設け、このウエスト調整機構Ｗの前記帯片３と前記帯片係止具４とに対応する前記帯片挿通孔５又は前記帯片挿通孔５及び前記係止具挿通孔を上衣１のウエスト左右位置に夫々設けて、前記上衣１と前記下衣２とを腰部左右に設けた前記下衣のウエスト調整機構Ｗの前記帯片３と帯片係止具４とで着脱自在に連結したことを特徴とする請求項１〜３のいずれか１項に記載のツーピースとしてもワンピースとしても使用可能となる衣服に係るものである。
【００１２】
【発明の実施の形態】
好適と考える本発明の実施の形態（発明をどのように実施するか）を、図面に基づいてその作用効果を示して簡単に説明する。
【００１３】
上衣１と下衣２とを連結せずツーピースウェアとする場合は、例えばウエスト調整機構Ｗは通常の仕様通り使用する。
【００１４】
即ち、帯片３を帯片係止具４に挿通して引き締め係止し、下衣２のウエスト位置の伸縮部７の緩み度合いを調整することでウエストの締め付け度合いを調整できる。
【００１５】
例えば、帯片（取付片）などを介してウエスト位置に設けた帯片係止具４に帯片３を挿通して通常の腰ベルトの締め付け係止のように引き締めて係止機構や止着機構により係止し、引き締め具合を上げることでウエストのフィット感を高めることができる。
【００１６】
また、例えば、帯片３を帯片係止具４に挿通して折り返し引き締めてこの帯片３に設けた面ファスナーなどの止着手段６により所定の締め付け度合いで重合止着することで簡単にウエスト調整できるようにしても良い。
【００１７】
一方上衣１と連結する場合には、このウエスト調整機構Ｗを利用して（このウエスト調整機構Ｗをそのまま用いて）連結し、ワンピースウェアとして使用できる。
【００１８】
即ち、下衣２のウエスト調整機構Ｗの帯片３を上衣１に設けた帯片挿通孔５に通して上衣１の表側に配設し、前記ウエスト調整機構Ｗの帯片係止具４とは別に上衣１に設けた帯片係止具４、若しくは前記下衣２のウエスト調整機構Ｗの帯片係止具４を同様に係止具挿通孔を介して上衣１の表側に配設したこの帯片係止具４に前記上衣１の表側へ通した帯片３を挿通して前記要領と同様に締め付けてウエスト位置に係止し帯片３を上衣１のウエスト位置に配設し、下衣２と上衣１とをウエスト調整機構Ｗを利用して連結する。
【００１９】
従って、下衣２にこのウエスト調整機構Ｗを設けることで下衣２のウエスト調整が可能で上衣１と連結しない場合には通常通りウエスト調整が行え、ワンピースウェアとする場合には、このウエスト調整と同様の要領でこのウエスト調整機構Ｗを用いて下衣２と上衣１とを連結でき、特別な連結構造を必要とせず、元々ウエスト調整機構Ｗを設ける場合には殆どコストアップとはならず、またデザインを損なうことも一切ない。
【００２０】
しかも、連結する場合は、前述のように単に上衣１の所定の帯片挿通孔５や係止具挿通孔に前記ウエスト調整機構Ｗの帯片３若しくは帯片係止具４を挿通して、下衣２のウエスト調整の場合と同じように挿通係止するだけで連結でき、従って、上衣１を介して下衣２のウエスト調整も行い得る構造であって上衣１と下衣２とを簡単な要領で着脱自在に連結できる。
【００２１】
即ち、この下衣２のウエスト調整機構Ｗを用いて上衣１と連結した場合も、ウエスト調整機構Ｗとして上衣１のウエスト位置に配設されるため、前述のようにウエスト調整機構Ｗは、ウエスト調整機能と連結機能とを兼ねることとなり、言い換えると帯片３を帯片係止具４に挿通して引き締め調整すれば上衣１と下衣２とが強固に連結できると共に伸縮部７の緩みを締め付けてウエスト調整することもでき、また、このように連結機能がウエスト調整機構Ｗとして上衣１のウエスト位置に配されるため、デザインを損なうことも全くなく、極めて実用性に秀れる。
【００２２】
また、上衣１に帯片挿通孔５，係止具挿通孔を設けるだけでも本発明を実現でき、この帯片挿通孔５，係止具挿通孔の位置設定により、上衣１と下衣２とを連結して使用する場合も連結しない場合も、外観上全く異なることがない。
【００２３】
また、帯片挿通孔５や係止具挿通孔の位置は多少位置ズレしても良く、その他特別な連結手段を上衣１に設ける必要はなく、また下衣２にはウエスト調整機構Ｗを通常仕様通り設ければ良いため、上下がサイズ違いのものであっても、上下が柄違いのものであっても、組み合わせ連結することができ、例えば下衣２はＭサイズで上衣１がＬサイズでも連結でき、上下一対一対応でなくても様々な組み合わせでもこの連結機能を実現できる。
【００２４】
以上のように本発明は、ウエスト調節機能と結合機能を同一としたシステムで、ウエストアジャスタがジャケットの結合ベルトとしての機能を同時に持ち、ウエストアジャスタをそのまま連結装置として流用でき、この機能が邪魔となったりすることなく、コスト高ともならず、ウエストのシャーリング効果を生かしながら簡単に強固に連結でき、激しい運動時に連結が外れることもなく、サスペンダーもそのまま使用可能となる極めて実用性に秀れた画期的なツーピースとしてもワンピースとしても使用可能となる衣服となる。
【００２５】
【実施例】
本発明の具体的な実施例について図面に基づいて説明する。
【００２６】
本実施例では、シャーリングによって伸縮自在とした下衣２のウエスト位置にこのウエスト周方向に沿ってウエスト調整用帯片３を設けると共に、この帯片３を挿通する帯片係止具４をウエスト位置に付設した帯片（止着片）を介して設け、前記帯片３を前記帯片係止具４に挿通して締め付け係止しウエスト位置の緩み度を締め付け調整するウエスト調整機構Ｗを下衣２に設けている。
【００２７】
具体的には、前記ウエスト調整用帯片３を前記帯片係止具４に挿通し折り返し引き締めて、この帯片３に設けた面ファスナーによる止着手段６によりこの折り返し引き締め状態を重合止着して、ウエスト位置の緩み度を締め付け調整し得るように構成すると共に、この帯片３がウエスト周方向に配設されるように前記ウエスト調整機構Ｗを構成している。
【００２８】
即ち、ウエスト位置の一側に止着した帯片３の表側に一方の止着面を形成し、帯片３の先端部には折り返すことで前記一方の止着面に重合止着する他方の止着面を設けて面ファスナーによる止着手段６を形成している。
【００２９】
更に説明すれば、本実施例では、前記下衣２のウエスト位置に設けた帯片係止具４には二つの挿通部４Ａを設け、この帯片係止具４を境にしてウエスト周方向両側に夫々前記帯片３を設け、この一方の帯片３を前記帯片係止具４の一方の挿通部４Ａに挿通し折り返し引き締めて、この帯片３に設けた止着手段６によりこの折り返し引き締め状態を重合止着し、他方の帯片３を前記帯片係止具４の他方の挿通部４Ａに挿通し反対側へ折り返し引き締めて、この帯片３に設けた止着手段６によりこの折り返し引き締め状態を重合止着して、ウエスト位置の緩み度を締め付け調整し得るように構成すると共に、この双方の折り返された帯片３がウエスト周方向に配設されるように前記ウエスト調整機構Ｗを構成している。
【００３０】
即ち、本実施例では、ウエスト位置の腰側部の前後中央位置に帯片係止具４を設け、基端部をウエスト位置の腹部寄りと背中寄りに止着して二つの帯片３を設け、この帯片３の先端を夫々帯片係止具４の挿通部４Ａに夫々挿通して引き締めて互いに反対側へ折り返して重合止着するように構成している。
【００３１】
尚、本実施例に限らず、一方の帯片３の先端部に帯片係止具４を設けて他方の帯片３をこの帯片係止具４に挿通して係止手段や止着手段で引き締め固定するように構成しても良い。
【００３２】
一方、このウエスト調整機構Ｗの前記帯片３を前記上衣１のウエスト位置に設けた帯片挿通孔５に裏側から表側へ挿通して上衣１のウエスト位置表側に配設し、この上衣１に別に設けた帯片係止具４に上衣１のウエスト位置表側に配設した前記帯片３を挿通して係止し、前記上衣１と前記下衣２とを腰部で前記下衣のウエスト調整機構Ｗを用いて着脱自在に連結する構成としている。
【００３３】
具体的には、このウエスト調整機構Ｗの前記双方の帯片３を前記上衣１のウエスト位置に夫々設けた前後の帯片挿通孔５に夫々裏側から表側へ挿通して上衣１のウエスト位置表側に配設し、この上衣１に設けた二つの挿通部４Ａを設けた帯片係止具４に前記下衣２でのウエスト調整と同じ要領で、前記帯片３を夫々挿通して夫々反対側に折り返して重合止着して、前記双方の折り返された帯片３が上衣１のウエスト周方向に配設されるように構成している。
【００３４】
即ち、本実施例では、下衣２のウエスト調整機構Ｗの帯片３に対応する位置（上衣１の腹部寄りと背中寄りの前後位置）に設けた帯片挿通孔５に夫々帯片３を挿通して帯片３を上衣１の表側に配設し、下衣２のウエスト調整機構Ｗの帯片係止具４と対応する上衣１のウエスト位置（この前後からウエスト位置に配設する帯片３の中間位置）に止着片を介して帯片係止具４を設け、この上衣１のウエスト位置でこの上衣１の帯片係止具４に各帯片３を挿通して引き締め係止するように構成している。
【００３５】
尚、本実施例では、上衣１に下衣２の帯片係止具４とは別に帯片係止具４を設けたが、上衣１に係止具挿通孔を設けて下衣２の帯片係止具４を上衣１の表側に配設してこの帯片係止具４に係止するように構成しても良いし、他方の帯片３の先端に帯片係止具４を設けても良いし、一方の帯片３のみ帯片挿通孔５を介して上衣１の表側に配設しても良い。
【００３６】
また、本実施例では、上衣１のウエスト位置にも下衣２と同様に伸縮部７を設け、下衣２のウエスト調整機構Ｗにより連結した場合、このウエスト調整機構Ｗの帯片３を引き締め係止することで、下衣２のウエスト及び上衣１のウエストの緩みを引き締めてウエスト調整できるように構成している。
【００３７】
また、本実施例では、上衣１は袖を着脱自在としたスキージャケットとし、下衣２はサスペンダー９を有するスキー用のサロペットパンツとして帯片係止具４を配設する位置には脱ぎ易いようにパンツ脚部開閉用のファスナー８を設けている。
【００３８】
また、本実施例では、前記ウエスト調整機構Ｗを下衣２のウエスト左右位置に夫々設け、このウエスト調整機構Ｗの前記帯片３に対応する前記帯片挿通孔５を上衣１のウエスト左右位置に夫々設けて、前記上衣１と前記下衣２とを腰部左右に設けた前記下衣のウエスト調整機構Ｗの前記帯片３と帯片係止具４とで前述のようにして着脱自在に連結している。
【００３９】
尚、本発明は、本実施例に限られるものではなく、各構成要件の具体的構成は適宜設計し得るものである。
【００４０】
【発明の効果】
本発明は上述のように構成したから、ウエストの緩み度合いを締め付け調整する下衣のウエストアジャスタ（下衣のウエスト調整機構）を利用して簡単に上衣と下衣とを着脱自在に連結でき、連結せずツーピースウェアとする場合は、そのまま通常仕様通りウエスト調整機構として使用でき、連結してワンピースウェアとする場合は、この下衣のウエスト調整機構を用いて、ウエスト調整を行うことも可能ながらこの下衣と上衣とをウエスト調整と同様の要領で連結することができ、この上下連結構成が邪魔となることもなく、連結した場合もしない場合も体裁が悪くなり衣服のデザインを損なうこともなく、しかもコスト高とはならず、また例えば下衣と上衣とのデザイン違いやサイズ違いのものの場合でも（一対一対応に限られず）連結可能となるように設計できるなど極めて実用性に秀れた画期的なツーピースとしてもワンピースとしても使用可能となる衣服となる。
【００４１】
また、請求項２，３，４記載の発明においては、一層簡易な構成によりウエスト調整並びに上衣と下衣との連結が可能となり、極めて実用性に秀れたツーピースとしてもワンピースとしても使用可能となる衣服となる。
【図面の簡単な説明】
【図１】  本実施例の使用状態を示す略正面から見た説明斜視図である。
【図２】  本実施例の使用状態を示す略側面から見た斜視図である。
【図３】  本実施例の使用状態を示す略背面から見た斜視図である。
【図４】  本実施例の下衣の説明斜視図である。
【図５】  本実施例の説明分解斜視図である。
【図６】  本実施例の背面から見た説明分解斜視図である。
【図７】  本実施例の下衣のウエスト調整機構の説明斜視図である。
【図８】  本実施例の下衣のウエスト調整機構を用いて上衣と連結する場合の説明斜視図である。
【符号の説明】
１  上衣
２  下衣
３  帯片
４  帯片係止具
４Ａ  挿通部
５  帯片挿通孔
６  止着手段
Ｗ  ウエスト調整機構
【図１】
0004104869.tif 000002
【図２】
0004104869.tif 000003
【図３】
0004104869.tif 000004
【図４】
0004104869.tif 000005
【図５】
0004104869.tif 000006
【図６】
0004104869.tif 000007
【図７】
0004104869.tif 000008
【図８】
0004104869.tif 000009